(57)【要約】【課題】  特定の領域にいるグループ通信相手との選択的な通信の可能なグループ通信方法、及びグループ通信用端末機を提供し、特定の地域に位置する相手との迅速な通話を可能にして通信の効率を高めると共に、不必要な通信を減らす。【解決手段】  本発明に係る位置情報基盤サービス機能を適用したグループ通信サービスシステムおよび端末の位置情報を用いたグループ通信方法は、移動通信網や衛星信号などを用いて移動通信端末の位置を測定し、測定した位置と関連した多様な情報サービスを提供する位置情報提供装置と、移動中にネットワークと状態情報を続けて交換しながら、前記位置情報提供装置から端末機に登録された相手の位置情報が提供され、ユーザーの選択信号に従ってグループ通信を行う端末機とを含んでなることを特徴とする。【選択図】  図４
2006081184.tif 000002
【特許請求の範囲】
【請求項１】
ＰＴ(Push-To)サービス加入者の位置情報を獲得した後、距離上所定の範囲以内に位置する前記ＰＴサービス加入者間のグループ通信のためのメンバーリストを登録する過程と、
前記メンバーリストに登録された一人以上のメンバーとのグループ通信を要請する過程と、
前記グループ通信に対する要請受諾が完了すると、グループ間の通信を行う過程とを含んでなる端末の位置情報を用いたグループ通信方法。
【請求項２】
前記加入者の位置情報は、位置基盤サービス、ＧＰＳ(Global  Positioning  Service)、又はプレゼンスサーバーのうち、何れか一つを介して提供されることを特徴とする請求項１に記載の端末の位置情報を用いたグループ通信方法。
【請求項３】
グループ通信を要請する端末は、招待者、またはグループ通信の設定権限を有するマスター端末のうちの一つであることを特徴とする請求項１に記載の端末の位置情報を用いたグループ通信方法。
【請求項４】
前記距離上所定の範囲は、マスター端末を基準に既定儀された範囲を意味することを特徴とする請求項３に記載の端末の位置情報を用いたグループ通信方法。
【請求項５】
前記所定の範囲は、ユーザーによって、或いは予めシステム、又は端末によって定義することができることを特徴とする請求項４に記載の端末の位置情報を用いたグループ通信方法。
【請求項６】
前記メンバーリストは、周期的に更新されることを特徴とする請求項１に記載の端末の位置情報を用いたグループ通信方法。
【請求項７】
前記メンバーリストは、ユーザーとの関係によるグループ別の分類が前提となって分離されることを特徴とする請求項１に記載の端末の位置情報を用いたグループ通信方法。
【請求項８】
前記グループ通信を介して送受信されるデータは、音声やテキスト、又は映像データのうち何れか一つ、或いは混合された形態のデータであることを特徴とする請求項１に記載の端末の位置情報を用いたグループ通信方法。
【請求項９】
ＰＴサービス加入者の位置情報を受信し、グループメンバーとの通信を行う無線送受信部と、
前記無線送受信部を介して受信した加入者位置情報を用いて、距離上ユーザーから所定の範囲内のメンバー情報を表示するための制御信号を出力する制御部と、
前記制御部の制御信号に従って、距離上所定の範囲内のグループメンバーのリストを示す表示部とを含んでなるグループ通信機能を有するＰＴサービス用移動通信端末機。
【請求項１０】
前記制御部の制御信号によって表示されるメンバーリストは、ユーザーとの関係によるグループ別の分類が前提となって分離されることを特徴とする請求項９に記載のＰＴサービス用移動通信端末機。
【請求項１１】
前記グループメンバー間の通信を介して送受信されるデータは、音声やテキスト、又は映像データのうち何れか一つ、或いは混合された形態のデータであることを特徴とする請求項９に記載のＰＴサービス用移動通信端末機。
【請求項１２】
移動通信網や衛星信号などを用いて移動通信端末の位置を測定し、測定した位置と関連した多様な情報サービスを提供する位置情報提供装置と、
移動中にネットワークと状態情報を続けて交換しながら、前記位置情報提供装置から端末機に登録された相手の位置情報が提供され、ユーザーの選択信号に従ってグループ通信を行う端末機とを含んでなる、位置情報基盤サービス機能を適用したグループ通信サービスシステム。
【請求項１３】
前記端末機は、
性格別に分けられたグループを、再び距離上所定の範囲内に位置するメンバーでグルーピングする機能；
全体の相手を互いに所定の範囲内の距離に位置するメンバーでグルーピングする機能；
ユーザーが選択した相手から所定の範囲以内の距離に位置する相手をグルーピングする機能；
ユーザーから距離上所定の範囲以内の距離に位置する相手をグルーピングする機能を有することを特徴とする、位置情報基盤サービス機能を適用したグループ通信サービスシステム。
【請求項１４】
前記端末機の多様な機能メニューは、ポップ−アップ形態でディスプレイされることを特徴とする請求項１３に記載の位置情報基盤サービス機能を適用したグループ通信サービスシステム。
【請求項１５】
前記所定の範囲の設定は、ユーザーによって、或いは予めシステム、又は端末によって定義されることができることを特徴とする請求項１３又は請求項１４に記載の位置情報基盤サービス機能を適用したグループ通信サービスシステム。
【発明の詳細な説明】
【技術分野】
【０００１】
本発明は、端末の位置情報を用いたグループ通信方法、及びグループ通信用端末機に関し、より詳細には、獲得した位置情報を用いて、通話の相手を地域別に分け、特定地域に位置する相手とのグループ通信を行うことのできるグループ通信方法、及びグループ通信用端末機に関するものである。
【背景技術】
【０００２】
プッシュｔｏトーク(Push-to-Talk：ＰＴＴ)とは、一種のトランシーバー(Walkie-Talkie)形態の半二重方式の幹線電話システム(Trun  Ked  Radio  System：ＴＲＳ)サービスを端末機に実現したものであって、ＰＴサービスの一つである。
【０００３】
ＰＴサービスは、移動通信ネットワークユーザーとサービス提供者に、より迅速な通信サービスを提供するためのもので、一人のクライアントが他の一人、或いは多数のクライアントとセッションが設定された状態でメディアデータを伝送できる通信サービスである。
【０００４】
ＰＴサービスは、音声（オーディオ）データを伝送するためのＰＴＴサービス、動画（ビデオ）を伝送するためのプッシュｔｏビュー(Push-to-View：ＰＴＶ)、データ伝送のためのプッシュｔｏデータ(Push-to-Data：ＰＴＤ)などがあり、ＰＴサービスは、一人の受信者との通話（１-ｔｏ-１）、又はグループチャットセッションのような多数の受信者グループの間の通話（１-ｔｏ-many）を許容する。また、セッションを設定するために、セッション初期化プロトコル（session  initiation  protocol：ＳＩＰ）を用いる。
【０００５】
ＰＴＴ機能を有した端末機は、図１に示したように、ＰＴＴ端末機に登録されたリストの現在の情報を周期的にアップデートしながら、まるでフォンブックを検索するごとく、所望の相手やグループにＰＴＴ通話をすることができる。相手の現在の状態情報としては、通話可能の状態（on/off）、通話中の状態（call）、接続状態などを分かることができ、このような状態は、適切なアイコンや文字で表示される。
【発明の開示】
【発明が解決しようとする課題】
【０００６】
ＰＴＴ端末機は、各相手の現在の状態を表示するものの、相手の現在の位置に対する情報は提供しない。したがって、このような要求を解決できないという問題がある。
本発明は、特定の領域にいるグループ通信相手との選択的な通信が可能なグループ通信方法、及びグループ通信用端末機を提供することを目的とする。
他の目的として、特定の地域に位置する相手との迅速な通話を可能にして通信の効率を高めることにある。
【０００７】
さらに他の目的として、不必要な通信を減らすことにある。
【課題を解決するための手段】
【０００８】
上記目的を達成するための本発明に係る位置情報基盤サービス機能を適用した単方向音声通信システムは、獲得した位置情報を用いて相手のリストをグルーピングし、特定地域のグループのメンバーとＰＴサービスによるグループ通信をすることができるという特徴をもつ。
【０００９】
かかる構成は、移動通信網や衛星信号などを用いて、モバイル端末の位置を測定し、測定した位置と関連した多様な情報サービスを提供する位置情報基盤サービス(Location  Based  Service：ＬＢＳ)装置と、移動中にネットワークと状態情報を続けて交換しながら、端末機に登録された相手の位置情報が前記ＬＢＳ装置から提供され、ユーザーの選択信号に従って単方向グループ音声通信を行うグループ通信用端末機とを含んでなることを特徴とする。
【００１０】
本発明に係る位置情報基盤サービス機能を適用した単方向音声通信システムの細部の特徴は、前記グループ通信用端末機が、性格別に分けられたグループを再び地域別にグルーピングする機能と、全体の相手を同一の地域別にグルーピングする機能と、ユーザーが選択した相手と同一の地域に位置する相手をグルーピングする機能を有することにある。
【００１１】
本発明に係る位置情報基盤サービス機能を適用した単方向音声通信システムの他の細部の特徴は、前記グループ通信用端末機の多様な機能メニューは、ポップアップ形態でディスプレイされることにある。
【００１２】
本発明に係る位置情報基盤サービス機能を適用した単方向音声通信方法は、ユーザーがウェブ上に登録した相手の現在の状態情報、及び位置情報基盤サービス（ＬＢＳ）を介して相手の位置情報が提供される過程と、ユーザーからメニュー選択信号が入力される過程と、メニュー選択信号を分析して、該当処理結果をディスプレイする過程と、ユーザーから提供される通話信号が入力され、選択された相手との単方向グループ通信を行う過程とを含んでなることを特徴とする。
【００１３】
上記目的を達成するために、本発明は、例えば、以下の手段を提供する。
（項目１）
ＰＴ(Push-To)サービス加入者の位置情報を獲得した後、距離上所定の範囲以内に位置する前記ＰＴサービス加入者間のグループ通信のためのメンバーリストを登録する過程と、
前記メンバーリストに登録された一人以上のメンバーとのグループ通信を要請する過程と、
前記グループ通信に対する要請受諾が完了すると、グループ間の通信を行う過程とを含んでなる端末の位置情報を用いたグループ通信方法。
（項目２）
前記加入者の位置情報は、位置基盤サービス、ＧＰＳ(Global  Positioning  Service)、又はプレゼンスサーバーのうち、何れか一つを介して提供されることを特徴とする項目１に記載の端末の位置情報を用いたグループ通信方法。
（項目３）
グループ通信を要請する端末は、招待者、またはグループ通信の設定権限を有するマスター端末のうちの一つであることを特徴とする項目１に記載の端末の位置情報を用いたグループ通信方法。
（項目４）
前記距離上所定の範囲は、マスター端末を基準に既定儀された範囲を意味することを特徴とする項目３に記載の端末の位置情報を用いたグループ通信方法。
（項目５）
前記所定の範囲は、ユーザーによって、或いは予めシステム、又は端末によって定義することができることを特徴とする項目４に記載の端末の位置情報を用いたグループ通信方法。
（項目６）
前記メンバーリストは、周期的に更新されることを特徴とする項目１に記載の端末の位置情報を用いたグループ通信方法。
（項目７）
前記メンバーリストは、ユーザーとの関係によるグループ別の分類が前提となって分離されることを特徴とする項目１に記載の端末の位置情報を用いたグループ通信方法。
（項目８）
前記グループ通信を介して送受信されるデータは、音声やテキスト、又は映像データのうち何れか一つ、或いは混合された形態のデータであることを特徴とする項目１に記載の端末の位置情報を用いたグループ通信方法。
（項目９）
ＰＴサービス加入者の位置情報を受信し、グループメンバーとの通信を行う無線送受信部と、
前記無線送受信部を介して受信した加入者位置情報を用いて、距離上ユーザーから所定の範囲内のメンバー情報を表示するための制御信号を出力する制御部と、
前記制御部の制御信号に従って、距離上所定の範囲内のグループメンバーのリストを示す表示部とを含んでなるグループ通信機能を有するＰＴサービス用移動通信端末機。
（項目１０）
前記制御部の制御信号によって表示されるメンバーリストは、ユーザーとの関係によるグループ別の分類が前提となって分離されることを特徴とする項目９に記載のＰＴサービス用移動通信端末機。
（項目１１）
前記グループメンバー間の通信を介して送受信されるデータは、音声やテキスト、又は映像データのうち何れか一つ、或いは混合された形態のデータであることを特徴とする項目９に記載のＰＴサービス用移動通信端末機。
（項目１２）
移動通信網や衛星信号などを用いて移動通信端末の位置を測定し、測定した位置と関連した多様な情報サービスを提供する位置情報提供装置と、
移動中にネットワークと状態情報を続けて交換しながら、前記位置情報提供装置から端末機に登録された相手の位置情報が提供され、ユーザーの選択信号に従ってグループ通信を行う端末機とを含んでなる、位置情報基盤サービス機能を適用したグループ通信サービスシステム。
（項目１３）
前記端末機は、
性格別に分けられたグループを、再び距離上所定の範囲内に位置するメンバーでグルーピングする機能；
全体の相手を互いに所定の範囲内の距離に位置するメンバーでグルーピングする機能；
ユーザーが選択した相手から所定の範囲以内の距離に位置する相手をグルーピングする機能；
ユーザーから距離上所定の範囲以内の距離に位置する相手をグルーピングする機能を有することを特徴とする、位置情報基盤サービス機能を適用したグループ通信サービスシステム。
（項目１４）
前記端末機の多様な機能メニューは、ポップ−アップ形態でディスプレイされることを特徴とする項目１３に記載の位置情報基盤サービス機能を適用したグループ通信サービスシステム。
（項目１５）
前記所定の範囲の設定は、ユーザーによって、或いは予めシステム、又は端末によって定義されることができることを特徴とする項目１３又は項目１４に記載の位置情報基盤サービス機能を適用したグループ通信サービスシステム。
【発明の効果】
【００１４】
本発明は、既存のＰＴＴサービスにＬＢＳ概念を導入して、性格別に分けられたグループ（例えば、友達、同好会、同期会、職場など）を、再び距離上所定の範囲以内に位置したメンバーでグルーピングして、所望の地域にいる個人、或いはグループだけでＰＴ通信を行うことができる効果を有する。
【発明を実施するための最良の形態】
【００１５】
以下、添付の図面に基づいて本発明に係る位置情報基盤サービスの機能を適用したグループ通信サービスシステムの構成、およびそれによる動作を説明する。
【００１６】
図２は、本発明に係る位置情報基盤サービス機能を適用した単方向音声通信を行うための構成要素を概略的に示す構成図である。
【００１７】
本発明は、移動通信端末１１、１２、１３の現在の位置情報に基づいたサービスに適用した技術である。加入者の位置情報は、ＬＢＳ、ＧＰＳ、或いはメッセンジャーの機能が付加されたプレゼンスサービスなどを通して提供される。
【００１８】
以下では、ＬＢＳを用いて位置情報を受信し、ＰＴサービス実現の一つであるＰＴＴ端末機を用いた実施例を用いて、本発明の動作過程を説明する。
【００１９】
移動通信端末機１１、１２、１３の現在の位置を測定するための衛星３０と、前記移動通信端末機１１、１２、１３の相互間の情報交換を行うための通信ネットワーク２０とを含んで構成されたシステムが構成され、本発明に係る音声通信方法を実現する。
【００２０】
ＬＢＳとは、位置確認技術(Location  Detection  Technology：ＬＤＴ)を用いてユーザーの位置を把握し、これと関連したアプリケーションを付加したサービスを示すものである。多方面に亘る利用が可能であって、最近、更に注目を浴びている。ＬＢＳは、移動通信網や衛星信号などを用いてモバイル端末の位置を測定し、測定した位置と関連した多様な情報サービスを提供するための技術として、移動通信網技術、位置追跡技術、端末機技術、及び情報技術との統合技術があり、これらが有機的に結合したシステムの構成が必要である。
【００２１】
ＬＢＳは、各事業者ごとに実現方式およびサービス方式が異なる。ＧＰＳモジュールを用いた方式か、単純に基地局ＰＮ、ＢＡＳＥ_ＩＤなどの情報を用いた方式かによって詳細さや正確度が異なるが、現在の自分の位置を知らせたり、所望する相手の位置情報を調べることのできるサービスである。
【００２２】
特に、３Ｇを迎えて位置基盤サービスの機能が大幅に強化されることに予想される移動電話に高付加価値の差別的なサービスが提供可能となることにより、サービス事業者ばかりでなく、世界的な通信装備製造会社までが技術開発および市場拡大に積極的に参与している。
【００２３】
このようなＬＢＳは、位置基盤の応用的な提供の可能なネットワークを用いた標準化されたサービス、位置情報に接続、提供、または位置情報によって作用する全ての応用ソフトウェアサービスであり、移動するユーザーがそれらの地理学的な位置、所在、または知られた存在に対するサービスを受けるようにするものである。
【００２４】
即ち、ＬＢＳは、ユーザーの位置獲得、サービスの提供のための位置情報の利用という重要な２つの特徴を有しており、このような特徴を用いて、ユーザー・機器・端末・車両などの位置を把握して、ユーザーの位置情報活用の要求を満足させることのできるサービスを意味する。
【００２５】
かかる構成を有するシステムが備えられた状態における本発明の実施例は、図３に示した通りである。即ち、ユーザーが特定の地域を指定した場合、ＰＴＴ端末機に接続可能な対象者の情報が地域別に現れる。このようなＬＢＳ機能を適用するための方法は、図４のフローチャートのように進行される。図４は、本発明に係る位置情報基盤サービスの機能を適用した単方向音声通信方法の進行過程を示すフローチャートである。
【００２６】
ＰＴＴ端末機の電源をつけると、ユーザーがウェブ上に登録した接続可能な対象者の現在の情報ばかりでなく、ＬＢＳを介して確保された位置情報も受ける。この情報は周期的に更新される(Ｓ１）。
【００２７】
その後、ユーザーがＰＴＴのメニュー機能を用いて多様な信号を入力する。ＰＴＴ端末では、このようなユーザーのメニュー選択信号を受ける。この際、グループ通信を要請する端末は招待者と表示し、グループ通信の設定権限を有する端末をマスターとする(Ｓ２）。
【００２８】
ユーザーは、リスト上の対象者を選択して、位置情報を見られるばかりでなく、オプションメニューを用いて、位置情報による整列を行うこともできる。例えば、全体の対象者を互いに所定の距離内に位置するメンバーでグルーピングしたり、ユーザーが選択した対象者から所定の距離範囲内に位置する対象者のみグルーピングしたり、ユーザーから所定の距離範囲内に位置するグループ通信メンバーでグルーピングしたり、性格別に分けられたグループを、再び距離上所定の範囲内に位置するメンバーでグルーピングするなど、多様なメニューを選択することができる。前記距離上の所定の範囲は、前記マスター端末を基準に定義されるもので、これはユーザーが設定することもでき、予めシステム、又は端末に組み込んで保存されることもできる。
【００２９】
ＰＴＴの画面表示部を介してユーザーのメニュー選択による結果を示す（Ｓ３）。その後、ユーザーがリスト上の一人または多数の対象者を相手に単方向の音声通信を行う（Ｓ４）。
【００３０】
例えば、タクシー会社や宅配会社で特定の地域に位置する職員にのみ単方向の通話をしようとする場合に適切に用いることができる。また、友達、同好会などの会員のうち、特定の地域にいる会員だけでグループ通信をしようとする場合にもこの機能を用いることができる。
【００３１】
図５は、本発明に係るＰＴサービス用端末機の構成を概略的に示すブロック図である。
図示したように、ＰＴサービス加入者の位置情報を受信し、グループメンバーとの通信を行う無線送受信部３と、前記無線送受信部３を介して受信した加入者の位置情報を用いて、キーパッド１を介して入力されたユーザーの要求信号に従って、距離上ユーザーから所定の範囲内のメンバー情報を表示するための制御信号を出力する制御部２と、前記制御部２の制御信号に従って、距離上所定の範囲内のグループメンバーのリストを示す表示部４とを含んで構成されている。
【００３２】
前記送受信部３を介して送受信されるデータは、音声やテキスト、または映像データのうち、何れか一つ、或いは混合された形態のデータとなる。
【００３３】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００３４】
特定の領域にいるグループ通信相手との選択的な通信の可能なグループ通信方法、及びグループ通信用端末機を提供し、特定の地域に位置する相手との迅速な通話を可能にして通信の効率を高めると共に、不必要な通信を減らす。
【００３５】
本発明に係る位置情報基盤サービス機能を適用したグループ通信サービスシステムおよび端末の位置情報を用いたグループ通信方法は、移動通信網や衛星信号などを用いて移動通信端末の位置を測定し、測定した位置と関連した多様な情報サービスを提供する位置情報提供装置と、移動中にネットワークと状態情報を続けて交換しながら、前記位置情報提供装置から端末機に登録された相手の位置情報が提供され、ユーザーの選択信号に従ってグループ通信を行う端末機とを含んでなることを特徴とする。
【図面の簡単な説明】
【００３６】
【図１】従来技術に係るＰＴＴ端末機の画面の例示図である。
【図２】本発明に係る位置情報基盤サービス機能を適用した単方向音声通信を行うための構成要素を概略的に示す構成図である。
【図３】本発明が適用されたＰＴＴ端末機の画面の例示図である。
【図４】本発明に係る位置情報基盤サービス機能を適用した単方向音声通信方法の進行過程を示すフローチャートである。
【図５】本発明に係るＰＴサービス用端末機の構成を概略的に示すブロック図である。
【図１】
2006081184.tif 000003
【図２】
2006081184.tif 000004
【図３】
2006081184.tif 000005
【図４】
2006081184.tif 000006
【図５】
2006081184.tif 000007